(57)【特許請求の範囲】
【請求項１】
前身頃、股下部、及び後身頃から構成され、複数のシートが吸収体を挟持した状態で積層された吸収性本体と、
前記吸収性本体の前記後身頃の両側縁から延出されたサイドフラップと、
前記サイドフラップの先端部分に配設された、前記前身頃と前記後身頃とを固定するための止着テープと、
前記吸収性本体の前身頃に配設された、被止着領域と、を備え、
前記止着テープが前記被止着領域に固定可能に構成されたテープ型使い捨ておむつであって、
前記サイドフラップは、前記後身頃端部側の側縁部分に沿って平行に配置された伸縮弾性体を含み、前記サイドフラップの前記股下部側の側縁部分における、前記止着テープの引張方向における伸張応力Ｐｂが、前記サイドフラップの前記後身頃端部側の側縁部分における、前記止着テープの引張方向における伸張応力Ｐａよりも大となるように構成されてなるとともに、前記サイドフラップの幅方向の中央部分における、前記止着テープの引張方向における伸張応力Ｐｃが、前記後身頃の端部側の側縁部分における前記伸張応力Ｐａ及び前記股下部側の側縁部分における前記伸張応力Ｐｂよりも大となるように構成されてなり、且つ、
前記止着テープが前記サイドフラップの前記先端部分における、前記サイドフラップの前記股下部側の側縁部分、前記サイドフラップの幅方向の前記中央部分、及び前記サイドフラップの前記後身頃端部側の側縁部分のそれぞれの部分にわたって固定されているテープ型使い捨ておむつ。
【請求項２】
前記サイドフラップは、二以上の異なる弾性率を有する前記伸縮弾性体を含んでなる請求項１に記載のテープ型使い捨ておむつ。
【請求項３】
前記伸縮弾性体が、フィルム状に形成されたものである請求項２に記載のテープ型使い捨ておむつ。
【請求項４】
前記伸縮弾性体が、伸張状態で前記サイドフラップを構成するシートに貼着されている請求項２又は３に記載のテープ型使い捨ておむつ。
【請求項５】
前記サイドフラップは、同じ弾性率を有する前記伸縮弾性体を含んでなり、
前記後身頃端部側の側縁部分と前記股下部側の側縁部分とで、当該伸縮弾性体が、異なる伸張状態で前記サイドフラップを構成するシートに貼着されている請求項１に記載のテープ型使い捨ておむつ。
【請求項６】
前記サイドフラップは、同じ弾性率を有する前記伸縮弾性体を含んでなり、
当該伸張弾性体が、前記後身頃端部側の側縁部分よりも、前記股下部側の側縁部分に多くの量配置されている請求項１に記載のテープ型使い捨ておむつ。
【請求項７】
前記サイドフラップは、同じ弾性率を有するフィルム状の前記伸縮弾性体を含んでなり、
前記フィルム状に形成された当該伸張弾性体が、前記股下部側の側縁部分に二層以上に積層された状態で配置されている請求項１に記載のテープ型使い捨ておむつ。
【請求項８】
前記後身頃の端部側の側縁部分における、５０％伸張時の前記伸張応力Ｐａが、１．５〜４Ｎ／２５ｍｍである請求項１〜７のいずれか一項に記載のテープ型使い捨ておむつ。
【請求項９】
前記股下部側の側縁部分における、５０％伸張時の前記伸張応力Ｐｂが、２．５〜７．５Ｎ／２５ｍｍである請求項１〜８のいずれか一項に記載のテープ型使い捨ておむつ。
【請求項１０】
前記サイドフラップは、前記股下部側の側縁部分と前記後身頃端部側の側縁部分との少なくとも一部が分離するように構成されたものである請求項１〜９のいずれか一項に記載のテープ型使い捨ておむつ。
【請求項１１】
前記サイドフラップは、二以上の異なる弾性率を有するフィルム状の前記伸縮弾性体を含んでなり、前記幅方向の中央部分にて、二以上の当該伸縮弾性体の少なくとも一部が重なった状態で配置されている請求項１〜１０のいずれか一項に記載のテープ型使い捨ておむつ。
【請求項１２】
前記サイドフラップは、同じ弾性率を有する前記伸縮弾性体を含んでなり、
当該伸縮弾性体が、前記後身頃端部側の側縁部分と前記股下部側の側縁部分と前記幅方向の中央部分とで、異なる伸張状態で前記サイドフラップを構成するシートに貼着されている請求項１〜１０のいずれか一項に記載のテープ型使い捨ておむつ。
【請求項１３】
前記サイドフラップは、同じ弾性率を有する前記伸縮弾性体を含んでなり、
当該伸張弾性体が、前記後身頃端部側の側縁部分よりも、前記股下部側の側縁部分に多くの量配置され、且つ、前記股下部側の側縁部分よりも、前記幅方向の中央部分に更に多くの量配置されている請求項１〜１０のいずれか一項に記載のテープ型使い捨ておむつ。
【請求項１４】
前記サイドフラップは、同じ弾性率を有するフィルム状の前記伸縮弾性体を含んでなり、
前記フィルム状に形成された当該伸張弾性体が、前記股下部側の側縁部分に、二層以上に積層された状態で配置されており、且つ、前記幅方向の中央部分に、三層以上に積層された状態で配置されている請求項１〜１０のいずれか一項に記載のテープ型使い捨ておむつ。
【請求項１５】
前記幅方向の中央部分における、５０％伸張時の前記伸張応力Ｐｃが、４〜１１．５Ｎ／２５ｍｍである請求項１〜１４のいずれか一項に記載のテープ型使い捨ておむつ。
【請求項１６】
前記サイドフラップが、前記股下部側の側縁部分と前記幅方向の中央部分、及び前記後身頃端部側の側縁部分と前記幅方向の中央部分、のそれぞれの少なくとも一部を分離するようなスリットが形成されたものである請求項１〜１５のいずれか一項に記載のテープ型使い捨ておむつ。
【請求項１７】
前記サイドフラップが、前記伸張応力Ｐｂが大となる前記股下部側の側縁部分と、前記伸張応力Ｐａが小となる前記後身頃端部側の側縁部分とが、分離されてなるものであり、
前記股下部側の側縁部分と前記後身頃端部側の側縁部分との一部が、前記サイドフラップの前記幅方向の中央部分において重なることにより、前記幅方向の中央部分における前記伸張応力Ｐｃが、前記伸張応力Ｐａ及び前記伸張応力Ｐｂよりも大となるように構成されている請求項１〜１０のいずれか一項に記載のテープ型使い捨ておむつ。
【発明の詳細な説明】
【技術分野】
【０００１】
本発明は、テープ型使い捨ておむつに関する。更に詳しくは、止着テープによっておむつの前身頃と後身頃とを固定した場合に、着用者の体のラインに合わせてサイドフラップが適切な状態で伸縮し、良好な着用感を得ることが可能なテープ型使い捨ておむつに関する。
【背景技術】
【０００２】
一般に、テープ型使い捨ておむつは、例えば、図１８に示すテープ型使い捨ておむつ１００のように、前身頃２、股下部４及び後身頃６の各部から構成され、複数のシート１８，２０が吸収体２２を挟持した状態で積層された吸収性本体１４と、前身頃２と後身頃６とを固定するための止着テープ１１０と、を備えるものである（例えば、特許文献１参照）。そして、このテープ型使い捨ておむつ１００は、吸収性本体１４の後身頃６の両側縁から延出されたサイドフラップ１０８を備え、このサイドフラップ１０８の先端に止着テープ１１０が配設されている。
【０００３】
このようなテープ型使い捨ておむつ１００によれば、着用者の排泄物は、吸収性本体を構成するシート１８の液透過性の部分を透過して吸収体２２に吸収されるとともに、通常、液不透過性の材料で構成されるシート２０によって外部への漏洩が防止され、排泄物をおむつ内部に保持することができる。また、止着テープ１１０によっておむつの前身頃２と後身頃６とを相互に固定することで、着用者に容易に装着させることができるという利点をも有するものである。
【０００４】
おむつを着用する際には、サイドフラップ１０８の先端に配置された止着テープ１１０を前身頃２側に移動させ、吸収性本体１４の前身頃に配設された被止着部に止着することにより、おむつの前身頃２と後身頃６とを固定する。通常、サイドフラップ１０８は、その素材として不織布等が採用されているため、止着テープ１１０を前身頃２側に引き伸ばす際に、サイドフラップ１０８が止着テープ１１０の引張方向に伸張して、着用者の腰周りを固定することができる。また、サイドフラップ１０８は、腰周りの方向に伸縮性を有しているため、腰周りがきつくなり過ぎることをある程度防止することができる。
【先行技術文献】
【特許文献】
【０００５】
【特許文献１】特開２００３−２７５２４４号公報
【発明の概要】
【発明が解決しようとする課題】
【０００６】
しかしながら、このようなサイドフラップは、全体が一様な素材のシートによって形成されているため、腰周りの方向に一定の伸縮性を有しているものの、着用者の胴周りから脚周りにかけての体のラインに対しては、十分なフィット性を得ることができないという問題があった。即ち、着用者の体のラインは、胴周り側（即ち、ウエスト周辺）においては寸法変化が大きく、一方、脚周り側（例えば、ウエストよりも下方）においては、寸法変化が小さくなるのが一般的であり、このような寸法変化のある体のラインに対して、サイドフラップの伸縮性が追従できず、着用者とサイドフラップとの間に隙間ができてしまうという問題があった。
【０００７】
また、図１８に示すようなサイドフラップ１０８と止着テープ１１０とを備えたテープ型使い捨ておむつ１００においては、止着テープ１１０を引っ張った際に、止着テープ１１０の幅で、サイドフラップ１０８に引張応力が伝達されるため、止着テープ１１０の幅よりもサイドフラップ１０８の幅が広い場合には、サイドフラップ１０８の側縁部分が引っ張られずに弛みが生じてしまう。また、上述したようなサイドフラップ１０８の弛みが生じないようにするためには、止着テープ１１０をより大きな力で引っ張って締め付けなければならず、おむつの着用感が著しく悪化してしまうという問題があった。
【０００８】
本発明は、このような従来技術の課題を解決するためになされたものであり、止着テープによっておむつの前身頃と後身頃とを固定した場合に、着用者の体のラインに合わせてサイドフラップが適切な状態で伸縮し、良好な着用感を得ることが可能なテープ型使い捨ておむつを提供するものである。
【課題を解決するための手段】
【０００９】
本発明者は、前記のような従来技術の課題を解決するために鋭意検討した結果、止着テープが接続されているサイドフラップを、股下部側の側縁部分と後身頃端部側の側縁部分とで、止着テープの引張方向における伸張応力を異なるように構成することによって、上記課題が解決されることに想到し、本発明を完成させた。具体的には、本発明により、以下のテープ型使い捨ておむつが提供される。
【００１０】
［１］  前身頃、股下部、及び後身頃から構成され、複数のシートが吸収体を挟持した状態で積層された吸収性本体と、前記吸収性本体の前記後身頃の両側縁から延出されたサイドフラップと、前記サイドフラップの先端部分に配設された、前記前身頃と前記後身頃とを固定するための止着テープと、前記吸収性本体の前身頃に配設された、被止着領域と、を備え、前記止着テープが前記被止着領域に固定可能に構成されたテープ型使い捨ておむつであって、前記サイドフラップは、前記後身頃端部側の側縁部分に沿って平行に配置された伸縮弾性体を含み、前記サイドフラップの前記股下部側の側縁部分における、前記止着テープの引張方向における伸張応力Ｐｂが、前記サイドフラップの前記後身頃端部側の側縁部分における、前記止着テープの引張方向における伸張応力Ｐａよりも大となるように構成されてなるとともに、前記サイドフラップの幅方向の中央部分における、前記止着テープの引張方向における伸張応力Ｐｃが、前記後身頃の端部側の側縁部分における前記伸張応力Ｐａ及び前記股下部側の側縁部分における前記伸張応力Ｐｂよりも大となるように構成されてなり、且つ、前記止着テープが前記サイドフラップの前記先端部分における、前記サイドフラップの前記股下部側の側縁部分、前記サイドフラップの幅方向の前記中央部分、及び前記サイドフラップの前記後身頃端部側の側縁部分のそれぞれの部分にわたって固定されているテープ型使い捨ておむつ。
【００１１】
［２］  前記サイドフラップは、二以上の異なる弾性率を有する前記伸縮弾性体を含んでなる前記［１］に記載のテープ型使い捨ておむつ。
【００１２】
［３］  前記伸縮弾性体が、フィルム状に形成されたものである前記［２］に記載のテープ型使い捨ておむつ。
【００１３】
［４］  前記伸縮弾性体が、伸張状態で前記サイドフラップを構成するシートに貼着されている前記［２］又は［３］に記載のテープ型使い捨ておむつ。
【００１４】
［５］  前記サイドフラップは、同じ弾性率を有する前記伸縮弾性体を含んでなり、前記後身頃端部側の側縁部分と前記股下部側の側縁部分とで、当該伸縮弾性体が、異なる伸張状態で前記サイドフラップを構成するシートに貼着されている前記［１］に記載のテープ型使い捨ておむつ。
【００１５】
［６］  前記サイドフラップは、同じ弾性率を有する前記伸縮弾性体を含んでなり、当該伸張弾性体が、前記後身頃端部側の側縁部分よりも、前記股下部側の側縁部分に多くの量配置されている前記［１］に記載のテープ型使い捨ておむつ。
【００１６】
［７］  前記サイドフラップは、同じ弾性率を有するフィルム状の前記伸縮弾性体を含んでなり、前記フィルム状に形成された当該伸張弾性体が、前記股下部側の側縁部分に二層以上に積層された状態で配置されている前記［１］に記載のテープ型使い捨ておむつ。
【００１７】
［８］  前記後身頃の端部側の側縁部分における、５０％伸張時の前記伸張応力Ｐａが、１．５〜４Ｎ／２５ｍｍである前記［１］〜［７］のいずれかに記載のテープ型使い捨ておむつ。
【００１８】
［９］  前記股下部側の側縁部分における、５０％伸張時の前記伸張応力Ｐｂが、２．５〜７．５Ｎ／２５ｍｍである前記［１］〜［８］のいずれかに記載のテープ型使い捨ておむつ。
【００１９】
［１０］  前記サイドフラップは、前記股下部側の側縁部分と前記後身頃端部側の側縁部分との少なくとも一部が分離するように構成されたものである前記［１］〜［９］のいずれかに記載のテープ型使い捨ておむつ。
【００２３】
［１１］  前記サイドフラップは、二以上の異なる弾性率を有するフィルム状の前記伸縮弾性体を含んでなり、前記幅方向の中央部分にて、二以上の当該伸縮弾性体の少なくとも一部が重なった状態で配置されている前記［１］〜［１０］のいずれかに記載のテープ型使い捨ておむつ。
【００２４】
［１２］  前記サイドフラップは、同じ弾性率を有する前記伸縮弾性体を含んでなり、当該伸縮弾性体が、前記後身頃端部側の側縁部分と前記股下部側の側縁部分と前記幅方向の中央部分とで、異なる伸張状態で前記サイドフラップを構成するシートに貼着されている前記［１］〜［１０］のいずれかに記載のテープ型使い捨ておむつ。
【００２５】
［１３］  前記サイドフラップは、同じ弾性率を有する前記伸縮弾性体を含んでなり、当該伸張弾性体が、前記後身頃端部側の側縁部分よりも、前記股下部側の側縁部分に多くの量配置され、且つ、前記股下部側の側縁部分よりも、前記幅方向の中央部分に更に多くの量配置されている前記［１］〜［１０］のいずれかに記載のテープ型使い捨ておむつ。
【００２６】
［１４］  前記サイドフラップは、同じ弾性率を有するフィルム状の前記伸縮弾性体を含んでなり、前記フィルム状に形成された当該伸張弾性体が、前記股下部側の側縁部分に、二層以上に積層された状態で配置されており、且つ、前記股下部側の側縁部分に、三層以上に積層された状態で配置されている前記［１］〜［１０］のいずれかに記載のテープ型使い捨ておむつ。
【００２７】
［１５］  前記幅方向の中央部分における、５０％伸張時の前記伸張応力Ｐｃが、４〜１１．５Ｎ／２５ｍｍである前記［１］〜［１４］のいずれかに記載のテープ型使い捨ておむつ。
【００２８】
［１６］  前記サイドフラップが、前記股下部側の側縁部分と前記幅方向の中央部分、及び前記後身頃端部側の側縁部分と前記幅方向の中央部分、のそれぞれの少なくとも一部を分離するようなスリットが形成されたものである前記［１］〜［１５］のいずれかに記載のテープ型使い捨ておむつ。
【００２９】
［１７］  前記サイドフラップが、前記伸張応力Ｐｂが大となる前記股下部側の側縁部分と、前記伸張応力Ｐａが小となる前記後身頃端部側の側縁部分とが、分離されてなるものであり、前記股下部側の側縁部分と前記後身頃端部側の側縁部分との一部が、前記サイドフラップの前記幅方向の中央部分において重なることにより、前記幅方向の中央部分における前記伸張応力Ｐｃが、前記伸張応力Ｐａ及び前記伸張応力Ｐｂよりも大となるように構成されている前記［１］〜［１０］のいずれかに記載のテープ型使い捨ておむつ。
【発明の効果】
【００３０】
本発明のテープ型使い捨ておむつは、サイドフラップの股下部側の側縁部分における、止着テープの引張方向の伸張応力Ｐｂが、サイドフラップの後身頃端部側の側縁部分における、止着テープの引張方向の伸張応力Ｐａよりも大となるように構成されてなるため、止着テープによっておむつの前身頃と後身頃とを固定した場合に、着用者の体のラインに合わせてサイドフラップが適切な状態で伸縮し、良好な着用感を得ることができる。このため、着用者の体のラインに合わせてサイドフラップの伸縮性を良好に追従させることができ、サイドフラップによる過剰な締め付けや、サイドフラップの側縁部分の弛み等を生じ難くすることができる。
【００３１】
また、本発明のテープ型使い捨ておむつにおいては、サイドフラップの幅方向の中央部分における、止着テープの引張方向における伸張応力を、後身頃の端部側の側縁部分における伸張応力及び股下部側の側縁部分における伸張応力よりも更に大となるように構成することによって、サイドフラップの側縁部分の弛みを更に生じ難くすることができる。
【００３２】
また、本発明のテープ型使い捨ておむつにおいては、サイドフラップを、股下部側の側縁部分と後身頃端部側の側縁部分との少なくとも一部が分離するように構成されたものとすることによって、上述した効果をより効果的に発現させることが可能となる。
【図面の簡単な説明】
【００３３】
【図１】テープ型使い捨ておむつの一の実施形態を示す平面図であり、テープ型使い捨ておむつを展開し、トップシート側から見た状態を示す図である。
【図２】図１に示すテープ型使い捨ておむつのサイドフラップを拡大した拡大平面図である。
【図３】テープ型使い捨ておむつのサイドフラップの一例を示す平面図である。
【図４Ａ】サイドフラップの止着テープの引張方向における伸張応力を測定する際の、試験片の作製方法を示す平面図である。
【図４Ｂ】伸張応力の測定方法を説明するための平面図である。
【図４Ｃ】伸張応力の測定方法を説明するための平面図である。
【図５】伸張応力の測定方法の別の例を説明するための平面図である。
【図６】サイドフラップの幅方向の中央部分における、止着テープの引張方向における伸張応力を測定する際の、試験片の作製方法を示す平面図である。
【図７】テープ型使い捨ておむつのサイドフラップの他の例を示す平面図である。
【図８】テープ型使い捨ておむつのサイドフラップの更に他の例を示す平面図である。
【図９】テープ型使い捨ておむつのサイドフラップの更に他の例を示す平面図である。
【図１０】テープ型使い捨ておむつのサイドフラップの更に他の例を示す平面図である。
【図１１】テープ型使い捨ておむつのサイドフラップの更に他の例を示す平面図である。
【図１２】本発明のテープ型使い捨ておむつのサイドフラップの更に他の例を示す平面図である。
【図１３】本発明のテープ型使い捨ておむつのサイドフラップの更に他の例を示す平面図である。
【図１４】本発明のテープ型使い捨ておむつのサイドフラップの更に他の例を示す平面図である。
【図１５】本発明のテープ型使い捨ておむつのサイドフラップの更に他の例を示す平面図である。
【図１６】本発明のテープ型使い捨ておむつのサイドフラップの更に他の例を示す平面図である。
【図１７Ａ】本発明のテープ型使い捨ておむつのサイドフラップの更に他の例を示す平面図である。
【図１７Ｂ】図１７ＡのＡ−Ａ’断面を示す模式図である。
【図１８】従来のテープ型使い捨ておむつを示す平面図であり、テープ型使い捨ておむつを展開し、トップシート側から見た状態を示す図である。
【発明を実施するための形態】
【００３４】
以下、本発明のテープ型使い捨ておむつを実施するための形態について、具体的に説明する。但し、本発明はその発明特定事項を備えるテープ型使い捨ておむつを広く包含するものであり、以下の実施形態に限定されるものではない。
【００３５】
なお、本明細書中において「テープ型使い捨ておむつ」とは、図１に示すテープ型使い捨ておむつ１のように、前身頃２、股下部４、及び後身頃６から構成され、複数のシート１８，２０が吸収体を挟持した状態で積層された吸収性本体１４と、吸収性本体１４の後身頃６の両側縁６ａ，６ｂから延出されたサイドフラップ８と、サイドフラップ８の先端部分に配設された、前身頃２と後身頃６とを固定するための止着テープ１０と、を備えたテープ型使い捨ておむつ１を意味するものとする。
【００３６】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００３７】
また、「吸収性本体」とは、テープ型使い捨ておむつにおいて、着用者の排泄した尿を吸収し保持する機能を担う部材であり、上述したように、前身頃、股下部、及び後身頃から構成され、複数のシートが吸収体を挟持した状態で積層されたものである。例えば、このような吸収性本体としては、図１に示すように、吸収体２２と、吸収体２２の内面を被覆するように配置された内面シート１８と、吸収体２２の外面を被覆するように配置された外面シート２０とを構成要素として有し、吸収体２２が内面シート１８と外面シート２０との間に挟持された状態で固定され、一体化された部材を挙げることができる。
【００３８】
また、「サイドフラップ」とは、吸収性本体の後身頃の左右の側縁部分において、その吸収性本体よりも側方の領域に張り出した部位によって構成されたものをいう。このようなサイドフラップは、おむつ着用時において、着用者の脇腹を覆う部位となる。なお、図１においては、吸収性本体１４の前身頃２にも、後身頃６のサイドフラップ８よりも小さなサイドタブ３８を備えた場合の例を示しているが、この前身頃２の両側縁２ａ，２ｂから延出されたサイドタブ３８は、必ずしも吸収性本体１４から延出されていなくともよい。
【００３９】
また、「止着テープ」とは、テープ型使い捨ておむつを着用する際に、おむつの前身頃と後身頃とを固定するための部材であり、本発明のテープ型使い捨ておむつにおいては、前身頃の被止着部に対して止着を行うファスナー部と、ファスナー部を配設するための基材とによって構成されている。なお、ファスナー部としては、メカニカルファスナーのフック材や粘着剤の粘着力により固定を行う粘着ファスナーを挙げることができる。
【００４０】
上述した「フック材」とは、メカニカルファスナー（面状ファスナーとも称される）の凸部材であり、凹部材であるループ材との機械的結合により固定を行うことができるものである。「フック材」としては、例えば、表面に多数の突起（鉤状、きのこ状、錨状等）が形成されたものが用いられる。
【００４１】
また、止着テープの「基材」とは、一方の端部付近にフック材等が付設され、且つ他方の端部が、例えば、テープ型使い捨ておむつのサイドフラップの先端に固定されることによって、止着テープの本体として機能するものである。
【００４２】
［１］テープ型使い捨ておむつ：
図１は、テープ型使い捨ておむつの一の実施形態を示す平面図であり、テープ型使い捨ておむつを展開し、トップシート側から見た状態を示す図である。また、図２は、図１に示すテープ型使い捨ておむつのサイドフラップを拡大した拡大図であり、図３は、テープ型使い捨ておむつのサイドフラップの一例を示す平面図である。
【００４３】
図１〜図３に示すように、テープ型使い捨ておむつ１は、サイドフラップ８の股下部側の側縁部分８ｂにおける、止着テープ１０の引張方向Ｘにおける伸張応力Ｐｂが、サイドフラップ８の後身頃端部側の側縁部分８ａにおける、止着テープの引張方向Ｘにおける伸張応力Ｐａよりも大となるように構成されてなるテープ型使い捨ておむつ１である。
【００４４】
このように構成されたサイドフラップ８を備えたテープ型使い捨ておむつ１は、止着テープ１０によっておむつの前身頃２と後身頃６とを固定した場合に、着用者の体のラインに合わせてサイドフラップ８が適切な状態で伸縮し、良好な着用感を得ることができる。このため、着用者の体のラインに合わせて、サイドフラップ８の伸縮性を良好に追従させることができ、サイドフラップ８による過剰な締め付けや、サイドフラップ８の側縁部分８ａ，８ｂの弛み等を生じ難くすることができる。
【００４５】
例えは、従来のテープ型使い捨ておむつのサイドフラップは、全体が一様な素材のシートによって形成されているため、腰周りの方向に一定の伸縮性を有しているものの、着用者の胴周りから脚周りにかけての体のラインに対しては、十分なフィット性を得ることができず、着用者の体のラインに対して、サイドフラップの伸縮性が追従できず、着用者とサイドフラップとの間に隙間ができてしまうという問題があった。即ち、着用者の体のラインは、胴周り側（即ち、ウエスト周辺）においては寸法変化が大きく、一方、脚周り側（例えば、ウエストよりも下方）においては、寸法変化が小さくなるのが一般的であり、このような寸法変化のある体のラインに対して、全体が一様な素材のシートによって形成されたサイドフラップでは伸縮性の追従が極めて困難である。
【００４６】
テープ型使い捨ておむつ１のサイドフラップ８は、寸法変化が大きな胴周り側に位置する「サイドフラップ８の後身頃端部側の側縁部分８ａ」においては、止着テープの引張方向Ｘにおける伸張応力Ｐａを小さくし、かつ、寸法変化が小さな脚周り側に位置する「サイドフラップ８の股下部側の側縁部分８ｂ」においては、止着テープ１０の引張方向Ｘにおける伸張応力Ｐｂを大きくしている。このため、胴周り側に大きな伸縮性（即ち、寸法変化に対応し得る十分な伸縮性）を持たせつつ、脚周り側の伸縮性を相対的に小さくすることで、サイドフラップの弛みを有効に防止することができる。
【００４７】
具体的には、ウエスト側が小さな力で伸縮する（即ち、伸張応力Ｐａが小である）ため、食事前後の腹周り寸法変化や、寝ているときと、座っているときの腹周り寸法変化に対して、ウエスト周りにおける追従性に優れており、更に、脚周り側の収縮力が強くなる（即ち、伸張応力Ｐｂが大である）ため、脚周りにおいて、弛み等の隙間ができ難いという利点がある。
【００４８】
なお、本明細書において、「止着テープの引張方向」とは、止着テープの先端（即ち、止着テープのサイドフラップに接続された側の端部とは反対側の端部）を、おむつの外側（即ち、吸収性本体の側縁に垂直な方向）に向けて引っ張った場合に、サイドフラップが止着テープによって引っ張られる方向を意味する。
【００４９】
サイドフラップの「止着テープの引張方向における伸張応力」は、サイドフラップから所定の大きさの試験片を切り出し、この試験片の両端を、チャック（試験片の端部を締め付けて固定させる部材）等によって固定可能な引張試験機に配置し、その５０％伸張時に測定される応力のことである。なお、引張試験機としては、例えば、東洋精機社製の「ストログラフ（商品名）」、エー・アンド・デイ社製の「テンシロン（商品名）」等を挙げることができる。以下、サイドフラップの止着テープの引張方向における伸張応力の測定方法について具体的に説明する。
【００５０】
まず、伸張応力の測定を行うサイドフラップから、長さ４０ｍｍ、幅２５ｍｍの試験片を切り出す。即ち、図４Ａに示すように、サイドフラップ８の後身頃端部側の側縁部分８ａと、サイドフラップの股下部側の側縁部分８ｂとを、サイドフラップ８の側縁から２５ｍｍの幅で切り出し、それぞれの部分の試験片９を作製する。図４Ａにおいては、サイドフラップ８が、その根元側（吸収性本体に接続する側）から先端側に向けて、その幅が漸減するように構成された場合の例を示しており、このようなサイドフラップ８においては、サイドフラップ８の側縁部分と平行となるように斜めに切り出して、試験片９を作製する。一方、図示は省略するが、サイドフラップが、その根元側から先端側に向けて、一定の幅である場合には、サイドフラップの側縁に沿って真っ直ぐに試験片を切り出すことができる。ここで、図４Ａは、サイドフラップの止着テープの引張方向における伸張応力を測定する際の、試験片の作製方法を示す平面図である。
【００５１】
次に、図４Ｂに示すように、得られた試験片９を、チャック６２間距離２０ｍｍで引張試験機６０に固定する。なお、チャック６２に固定する際には、サイドフラップ８（図４Ａ参照）の根元側と先端側の部分を、チャック６２，６２にそれぞれ固定する。図４Ｂにおいては、それぞれのチャック６２に、試験片９が１０ｍｍずつ固定した場合の例を示している。また、試験片９を固定する場合には、試験片９におけるサイドフラップの側縁と平行なラインが、引張試験機６０の引張方向Ｙとなるように固定する。即ち、サイドフラップの側縁と平行なラインが、チャック６２の固定面６２ａに対して垂直となるように固定する。
【００５２】
次に、図４Ｃに示すように、引張試験機６０のチャック６２に固定した試験片９を、２００ｍｍ／分の速度で引っ張り、５０％伸張時（チャック間距離３０ｍｍ時）における応力を測定する。この測定によって得られた応力（Ｎ／２５ｍｍ）を、サイドフラップ８（図４Ａ参照）の各部分（各試験片９を作製した部分）における伸張応力とする。ここで、図４Ｂ及び図４Ｃは、伸張応力の測定方法を説明するための平面図である。
【００５３】
なお、伸張応力の測定においては、試験片の幅を２５ｍｍとし、且つチャック間距離を２０ｍｍ確保することができ、更に、測定中にチャックから試験片が外れることがない程度にしっかりと固定することができれば、試験片の長さや、試験片の端部形状（チャックに固定する部位の形状）については、上記したものに限定されることはない。即ち、図４Ｂ及び図４Ｃにおいては、測定の便宜上、試験片を４０ｍｍ×２５ｍｍの長方形としているが、例えば、図５に示すように、サイドフラップの側縁の形状に合わせて、幅２５ｍｍの菱形の試験片９ａを切り出し、チャック６２間距離が２０ｍｍとなるように伸張測定を行うことが可能であれば、図４Ａ〜図４Ｃに示す測定と同様の測定結果を得ることができる。ここで、図５は、伸張応力の測定方法の別の例を説明するための平面図である。
【００５４】
また、後述するように、サイドフラップの幅方向の中央部分における、止着テープの引張方向における伸張応力を測定する場合には、図６に示すように、サイドフラップ８の幅方向の中央部分８ｃを、サイドフラップ８の幅方向の中心線が、試験片９ｂの幅方向の中心線となるように、長さ４０ｍｍ、幅２５ｍｍで切り出して試験片９ｂを作製し、この試験片９ｂを用いて、上述した測定方法（図４Ｂ及び図４Ｃ参照）に従って測定する。ここで、図６は、サイドフラップ８の幅方向の中央部分８ｃにおける、止着テープの引張方向Ｘにおける伸張応力を測定する際の、試験片９ｂの作製方法を示す平面図である。
【００５５】
以下、本発明のテープ型使い捨ておむつの各構成要素について更に具体的に説明する。
【００５６】
［１−１］サイドフラップ：
図１〜図３に示すように、テープ型使い捨ておむつ１は、吸収性本体１４の後身頃６の両側縁６ａ，６ｂから延出されたサイドフラップ８を備えている。そして、このサイドフラップ８の先端には、おむつの前身頃２と後身頃６とを固定するための止着テープ１０が配置されている。
【００５７】
本発明のテープ型使い捨ておむつ１のサイドフラップ８は、サイドフラップ８の股下部４側の側縁部分８ｂにおける、止着テープ１０の引張方向Ｘにおける伸張応力Ｐｂが、サイドフラップ８の後身頃６端部側の側縁部分８ａにおける、止着テープ１０の引張方向Ｘにおける伸張応力Ｐａよりも大となるように構成されているため、おむつ着用時において、サイドフラップ８が着用者の脇腹を覆うように配置された場合に、着用者の体のラインに合わせて適切な状態で伸縮し、良好な着用感を得ることができる。
【００５８】
なお、サイドフラップ８の各側縁部分８ａ，８ｂの具体的な伸張応力Ｐａ，Ｐｂの大きさは、おむつの適用対象（例えば、乳幼児用、成人用）や、その大きさ（例えば、Ｓサイズ、Ｍサイズ、Ｌサイズ等）によって、着用者の体型等に応じて適宜選択することができるが、例えば、サイドフラップ８の後身頃の端部側の側縁部分８ａにおける、５０％伸張時の伸張応力Ｐａは、１．５〜４Ｎ／２５ｍｍであることが好ましく、２〜３Ｎ／２５ｍｍであることが更に好ましい。このように構成することによって、寸法変化が大きな胴周り側において、良好なフィット感を得ることができる。
【００５９】
なお、後身頃の端部側の側縁部分における５０％伸張時の伸張応力Ｐａが、１．５Ｎ／２５ｍｍ未満であると、緩すぎて良好なフィット感が得られないことがあり、４Ｎ／２５ｍｍを超えると、伸張応力が大きくなり過ぎ、胴周り側の寸法変化に追従することが困難になるおそれがある。
【００６０】
また、サイドフラップ８の股下部側の側縁部分８ｂにおける、５０％伸張時の伸張応力Ｐｂは、２．５〜７．５Ｎ／２５ｍｍであることが好ましく、４〜６Ｎ／２５ｍｍであることが好ましい。このように構成することによって、脚周り側の収縮力が強くなるため、脚周りにおいて、弛み等の隙間ができ難くなる。
【００６１】
なお、股下部側の側縁部分における５０％伸張時の伸張応力Ｐｂが、２．５Ｎ／２５ｍｍ未満であると、脚周り側に隙間ができ易く、脚周り開口からの尿漏れを生じることがあり、７．５Ｎ／２５ｍｍを超えると、脚周り側の収縮力が強くなり過ぎて、脚周りの伸縮性が低下し、動き難くなることがある。なお、上記した好ましい伸張応力の範囲においても、伸張応力Ｐｂは伸張応力Ｐａよりも大きくなる。
【００６２】
本発明において、サイドフラップを、股下部側の側縁部分と、後身頃の端部側の側縁部分との二つの部分に分ける場合には、サイドフラップの股下部から、幅方向における股下部側の少なくとも３０〜７０％の範囲を股下部側の側縁部分とし、また、サイドフラップの後身頃端部から、幅方向における後身頃端部側の少なくとも３０〜７０％の範囲を後身頃端部側の側縁部分とする。
【００６３】
このようなサイドフラップは、例えば、通気撥水性材料からなるシート等に、糸状、リボン状、帯状の伸縮弾性体が配置されたもの、或いは、フィルム状の伸縮弾性体によって構成されたシートなどによって形成することができる。
【００６４】
例えば、図３に示すサイドフラップ８は、二以上の異なる弾性率を有する伸縮弾性体５０ａ，５０ｂを含んでなるものである。より具体的には、図３に示すサイドフラップ８は、サイドフラップ８を構成するシート５８に、二以上の異なる弾性率を有する伸縮弾性体５０ａ，５０ｂが伸張状態で貼着されており、この二以上の異なる弾性率を有する伸縮弾性体５０ａ，５０ｂを貼着することによって、伸張応力Ｐｂが大きな股下部４側の側縁部分８ｂと、伸張応力Ｐａが小さな後身頃端６部側の側縁部分８ａとが形成されている。
【００６５】
上記したサイドフラップ８を構成するシート５８としては、液の透過に対して抵抗性を示す通気撥水性材料からなるシート（例えば、通気撥水性シート）が採用されることが多い。この場合、通気撥水性シートとしては、カードエンボス、スパンボンド等の製法により製造された不織布等を用いることができるが、防水性の高いＳＭＳ、ＳＭＭＳ等の不織布シートを用いることが更に好ましい。
【００６６】
また、伸縮弾性体５０ａ，５０ｂとしては、例えば、ウレタン製の糸ゴム等を用いることができる。例えば、東レオペロンテックス株式会社製の「ライクラ（商品名）」、旭化成せんい株式会社製の「ロイカ（商品名）」等を挙げることができる。また、天然ゴム、合成ゴム、或いは、これらを混合したゴムを主原料とし、この主原料をリボン状に成形した伸縮弾性体を用いることもできる。このような伸縮弾性体としては、例えば、株式会社アサヒテック社製の「シルバークイーン（商品名）」等を挙げることができる。
【００６７】
上記伸縮弾性体は、接着剤、又はその他の手段により固定することができる。固定方法としては、例えば、ホットメルト接着剤、その他の流動性の高い接着剤を用いた接着方法や、ヒートシールをはじめとする熱や超音波等による溶着による方法などを挙げることができる。
【００６８】
このような、二以上の異なる弾性率を有する伸縮弾性体５０ａ，５０ｂを含んでなるサイドフラップ８は、製造する際に同じ伸張状態、即ち同じ延伸率にして通気撥水性材料からなるシートに固定すればよいために製造が容易である。また、伸縮弾性体５０ａ，５０ｂの伸度が同じで固定された場合、伸縮弾性体が一様に収縮しやすいため、サイドフラップ形状に歪みが生じにくい。その結果、テープの扱い易さに悪影響を与えない。
【００６９】
また、本発明のテープ型使い捨ておむつにおいては、例えば、図７に示すように、同じ弾性率を有する伸縮弾性体５１ａ，５１ｂを含んでなり、後身頃端部側の側縁部分８ａと股下部側の側縁部分８ｂとで、伸縮弾性体５１ａ，５１ｂが、異なる伸張状態でサイドフラップ８を構成するシート５８に貼着されているものであってもよい。即ち、図７に示すサイドフラップ８においては、伸縮弾性体５１ａ，５１ｂの伸張状態を異なるものとすることによって、伸張応力Ｐｂが大きな股下部側の側縁部分８ｂと、伸張応力Ｐａが小さな後身頃端部側の側縁部分８ａとが形成されている。ここで、図７は、テープ型使い捨ておむつのサイドフラップの他の例を示す平面図である。
【００７０】
なお、伸縮弾性体５１ａ，５１ｂ及びサイドフラップ８を構成するシート５８は、図３に示す伸縮弾性体及びシートと同様に構成されたものを用いることができる。
【００７１】
このような、異なる伸張状態で伸縮弾性体５１ａ，５１ｂをシート５８に貼着させたサイドフラップ８は、形成されたサイドフラップ８ｂが短く縮んだ形状になり、視覚的に脚周りと腹周りとのそれぞれが違う伸び方をすることを使用者に意識づけし、フィット性に注意して着用できるようになる。
【００７２】
なお、図示は省略するが、例えば、股下部側の側縁部分の伸張応力Ｐｂが大となり、後身頃端部側の側縁部分の伸張応力Ｐａが小となるサイドフラップであれば、異なる弾性率を有する伸縮弾性体を、異なる伸張状態でシートに貼着させて構成されたサイドフラップであってもよい。
【００７３】
また、本発明のテープ型使い捨ておむつにおいては、例えば、図８に示すように、同じ弾性率を有する伸縮弾性体５２ａを含んでなり、伸張弾性体５２ａが、後身頃端部側の側縁部分８ａよりも、股下部側の側縁部分８ｂに多くの量配置されたサイドフラップ８であってもよい。即ち、図８に示すサイドフラップ８においては、股下部側の側縁部分８ｂに多く量の伸縮弾性体５２ａを配置することによって、股下部側の側縁部分８ｂの伸張応力Ｐｂを、後身頃端部側の側縁部分８ａと比較して大きくなるように構成している。ここで、図８は、テープ型使い捨ておむつのサイドフラップの更に他の例を示す平面図である。
【００７４】
このような、股下部側の側縁部分８ｂに多く量の伸縮弾性体５２ａを配置したサイドフラップ８は、製造する際に同じ伸張状態、即ち同じ延伸率にして通気撥水性材料からなるシートに固定すればよいために製造が容易である。また、伸縮弾性体５２ａの伸度が同じで固定された場合、伸縮弾性体が一様に収縮しやすいため、サイドフラップ形状に歪みが生じにくい。その結果、テープの扱いやすさに悪影響を与えない。
【００７５】
また、例えば、図示は省略するが、股下部側の側縁部分と後身頃端部側の側縁部分とで同じ量の伸張弾性体を配置した後、後身頃端部側の側縁部分に配置した伸張弾性体の一部を切断して、切断した伸張弾性体の収縮力が作用しないようにしたサイドフラップであってもよい。また、図８においては、同じ弾性率を有する伸縮弾性体５２ａを用いた場合の例を示しているが、股下部側の側縁部分の伸張応力Ｐｂが大となり、後身頃端部側の側縁部分の伸張応力Ｐａが小となるサイドフラップであれば、異なる弾性率を有する伸縮弾性体を用い、更に、シートに配置する伸縮弾性体の量を異なるように配置してもよい。
【００７６】
更に、本発明のテープ型使い捨ておむつにおいては、例えば、図９に示すように、サイドフラップ８は、フィルム状の伸縮弾性体５３ａ，５３ｂを含んでいてもよい。ここで、図９においては、後身頃端部側の側縁部分８ａに伸張応力Ｐａをもつ伸張弾性体５３ａが一層（一枚）配置され、股下部側の側縁部分８ｂに前記伸張応力Ｐａより大きい伸張応力Ｐｂをもつ伸張弾性体５３ｂが一層（一枚）配置された場合の例を示している。
【００７７】
このような、フィルム状の伸縮弾性体５３ａ，５３ｂが配置されているサイドフラップ８は、伸張応力の異なるフィルム状の伸縮弾性体を選択すればよいため、製造設備が簡単になる。また、伸縮弾性体を伸張状態で基材の上に固定した場合は、伸縮弾性体が縮むことによって、サイドフラップが縮んでシワになることがあるが、このような構成とすることによって、サイドフラップにシワが生じ難くなり、サイドフラップの見栄えも良好であり、また、使いやすさにも優れたものとなる。
【００７８】
なお、フィルム状に形成された伸張弾性体としては、例えば、熱可塑性エラストマーからなるものを好適例として挙げることができる。熱可塑性エラストマーとしては、例えば、ポリウレタン系エラストマー、オレフィン系エラストマー、スチレン系エラストマー、ポリエステル系エラストマー等を挙げることができる。
【００７９】
上述した熱可塑性エラストマーは、熱エンボスを加えることによって伸びを抑制することができる。即ち、伸張応力を高めることができる場合がある。このような素材を選択した場合、連続した熱可塑性エラストマーフィルムの一部分に熱エンボスを加えることによって、熱エンボスを加えた伸張応力が高い領域と、熱エンボスを加えない伸張応力が低い領域とを設けることができる。このようにして得られたフィルムを、伸張性が高い不織布でサンドイッチすることによって、サイドフラップを形成してもよい。この不織布は、挟持する熱可塑性エラストマーからなる伸縮弾性体（フィルム）の伸張性を阻害しないように、伸張可能な状態に配置する。なお、「伸張可能な状態」とは、不織布にシワやヒダを形成する前加工を施したりすることや、ウォータージェットのようなものでシート（不織布）の強度を弱めたりすることや、スパンレースのような、元来の伸張性が高い不織布を選択することも含まれる。
【００８０】
また、サイドフラップは、テープを固定するテープ側端部、及びおむつ本体と固定されるおむつ側端部では伸縮性がないか、或いは、伸縮性が発現しないようにされていることが好ましい。上記した部分に伸縮性があると、サイドフラップの固定部分の接着強度が弱かったり、シワが入って見栄えが悪かったり、固定部分で破れやすくなる可能性がある。伸縮性がないか、発現しないようにする具体的方法としては、伸縮弾性体を配置しない方法、伸縮弾性体を配置するが、熱エンボス、カッターなどで伸縮性を発現しないようにダメージを与えるか、切断する方法、伸縮性の乏しい不織布やフィルムを重ねて貼り合わせ、伸縮性を抑制する方法等を挙げることができる。例えば、図９においては、テープを固定するテープ側端部８１、及びおむつ本体と固定されるおむつ側端部８２においては、伸縮弾性体５３ａ，５３ｂを配置しない場合の例を示している。
【００８１】
また、テープ型使い捨ておむつにおいては、サイドフラップの股下部側の側縁部分と後身頃端部側の側縁部分との少なくとも一部が分離するように構成されたものであってもよい。例えば、図１０に示すように、サイドフラップ８は、股下部側の側縁部分８ｂと、後身頃端部側の側縁部分８ａとの少なくとも一部を分離するようなスリット１５が形成されたものであってもよい。このように、サイドフラップ８が、股下部側の側縁部分８ｂと後身頃端部側の側縁部分８ａとの少なくとも一部で分離されていることによって、それぞれの部分における伸縮力が独立して発現し易くなり、股下部側の側縁部分８ｂと後身頃端部側の側縁部分８ａとを、それぞれ適切な状態で伸縮させることができる。また、着用者が、脚周りが伸びるような動きをした場合、例えば座った場合などには、股下部側の側縁部分８ｂが大きく伸張するが、スリット１５が後身頃端部側の側縁部分８ａを引っ張る力を分断するため、おむつがずり落ちしにくい。逆に、腹周りの大きな伸張で、後身頃端部側の側縁部分８ａに力が掛っても、股下部側の側縁部分８ｂには、スリット１５があるために、力が伝わらずに、脚周りがずり上がり難いという効果がある。ここで、サイドフラップに形成される「スリット」とは、サイドフラップを構成するシートに形成された切れ目のことである。
【００８２】
更に、テープ型使い捨ておむつにおいては、図１１に示すように、サイドフラップ８が、股下部側の側縁部分８ｂと、後身頃端部側の側縁部分８ａとで、上記スリット１５により二つに分断されてなり、止着テープ１０が、二つに分断されたサイドフラップ８に跨って配設されたものであってもよい。
【００８３】
図１０においては、サイドフラップ８の幅方向の中央部分にて、スリット１５によって一部が分離され、サイドフラップ８の根元側と先端側とは連結した場合の例を示しているが、図１１に示すように、サイドフラップ８がスリット１５によって、根元側から先端側にかけて二つに分断されていてもよい。これにより、伸張応力が異なる股下部側の側縁部分８ｂと後身頃端部側の側縁部分８ａとで完全に独立して伸縮することが可能となり、より快適なフィット感を得ることができる。
【００８４】
ここで、図１０及び図１１は、テープ型使い捨ておむつのサイドフラップの更に他の例を示す平面図である。また、図１０及び図１１においては、サイドフラップ８を構成するシート５８に、同じ弾性率を有する伸縮弾性体５１ａ，５１ｂが、異なる伸張状態で貼着された場合の例を示しているが、サイドフラップに含まれる伸縮弾性体については、これに限定されることはなく、これまでに説明した伸縮弾性体を用いることもできる。
【００８５】
また、これまでに説明したサイドフラップにおいては、サイドフラップの股下部側の側縁部分と後身頃端部側の側縁部分との二つの部分（領域）において、その伸張応力が異なるように構成された例について説明したが、本発明のテープ型使い捨ておむつにおいては、例えば、サイドフラップの幅方向の中央部分における、止着テープの引張方向における伸張応力Ｐｃが、後身頃の端部側の側縁部分における伸張応力Ｐａ及び股下部側の側縁部分における伸張応力Ｐｂよりも更に大となるように構成されたものであってもよい。
【００８６】
即ち、本発明のテープ型使い捨ておむつは、図１２に示すように、サイドフラップ８の幅方向の中央部分８ｃにおける、止着テープ１０の引張方向Ｘにおける伸張応力Ｐｃが、後身頃の端部側の側縁部分８ａにおける伸張応力Ｐａ及び股下部側の側縁部分８ｂにおける伸張応力Ｐｂよりも大となるように構成されてなるサイドフラップ８を備えたものであってもよい。ここで、図１２は、本発明のテープ型使い捨ておむつのサイドフラップの更に他の例を示す平面図である。
【００８７】
このように構成することによって、サイドフラップ８の幅方向の中央部分８ｃの伸びが最も抑制され、中央部分８ｃに対して力（引張力）が大きく加わるほど、後身頃の端部側の側縁部分８ａと股下部側の側縁部分８ｂとに伝わる力の絶対量が増加し、それぞれの側縁部分８ａ，８ｂがより弛み難くなる。その結果、サイドフラップ８の全体が大きく伸張する。特に、後身頃６の端部側の側縁部分８ａはより大きく伸張し、且つ、股下部４側の側縁部分８ｂには隙間ができ難くなる。
【００８８】
なお、サイドフラップ８の幅方向の中央部分８ｃに最も伸張応力の大きな領域を形成する場合において、中央部分８ｃの幅については特に制限はなく、サイドフラップ８の幅方向の中央部分８ｃにおける伸張応力Ｐｃが、その他の部分（後身頃の端部側の側縁部分８ａ及び股下部側の側縁部分８ｂ）に比して大きくなるように構成されていればよい。なお、特に限定されることはないが、サイドフラップ８の幅方向の中心軸を中心とする幅方向の少なくとも１０〜４０％の範囲を、上述した最も伸張応力の大きな中央部分８ｃとすることによって、中央部分８ｃがサイドフラップ８の芯となり、それぞれの側縁部分８ａ，８ｂを良好に弛み難くすることができる。
【００８９】
また、このようなサイドフラップ８の幅方向の中央部分８ｃの構成については、伸張応力Ｐｃが最も大きくなるものであれば、特に制限はない。図１２においては、サイドフラップ８が、二以上の異なる弾性率（図１２においては、二つの異なる弾性率）を有するフィルム状の伸縮弾性体５４ａ，５４ｂを含んでなり、幅方向の中央部分８ｃにて、二以上の伸縮弾性体５４ａ，５４ｂの少なくとも一部が重なった状態で配置されている場合の例を示している。このように、幅方向の中央部分８ｃは、後身頃端部側の側縁部分８ａと股下部側の側縁部分８ｂとのそれぞれの伸縮弾性体５４ａ，５４ｂが重なることによって、その伸張応力が最も大きくなっている。なお、このようなサイドフラップ８を構成する伸縮弾性体５４ａ，５４ｂ及びシート５８についても、これまでに説明したサイドフラップを構成する伸縮弾性体及びシートと同様のものを好適に用いることができる。
【００９０】
また、本発明のテープ型使い捨ておむつにおいては、図１３に示すように、サイドフラップ８が、同じ弾性率を有する伸縮弾性体５５ａ，５５ｂ，５５ｃを含んでなり、伸縮弾性体５５ａ，５５ｂ，５５ｃが、後身頃端部側の側縁部分８ａと股下部側の側縁部分８ｂと幅方向の中央部分８ｃとで、それぞれ異なる伸張状態でサイドフラップ８を構成するシート５８に貼着されたものであってもよい。
【００９１】
即ち、図１３においては、後身頃端部側の側縁部分８ａの伸縮弾性体５５ａが最も緩い伸張状態で配置され、次に、股下部側の側縁部分８ｂの伸縮弾性体５５ｂの伸張状態が緩く、幅方向の中央部分８ｃの伸縮弾性体５５ｃが最も強い伸張状態で配置されている。このように構成することによって、サイドフラップは、中央部分８ｃ、股下部側の側縁部分８ｂ、後身頃端部側の側縁部分８ａの順に短く縮んだ形状になり、視覚的に中央部分、脚周りと腹周りのそれぞれが違う伸び方をすることを使用者に意識づけし、フィット性に注意して着用ができるようになる。
【００９２】
また、例えば、図１４に示すように、サイドフラップ８が、同じ弾性率を有する伸縮弾性体５６ａ，５６ｂ，５６ｃを含んでなり、伸張弾性体５６ａ，５６ｂ，５６ｃが、後身頃端部側の側縁部分８ａよりも、股下部側の側縁部分８ｂに多くの量配置され、且つ、股下部側の側縁部分８ｂよりも、幅方向の中央部分８ｃに更に多くの量配置されているものであってもよい。このように構成することによって、製造する際に同じ伸張状態、即ち同じ延伸率にして通気撥水性材料からなるシートに固定すればよいために製造が容易である。また、伸縮弾性体５６ａ，５６ｂ，５６ｃの伸度が同じで固定された場合、伸縮弾性体が一様に収縮しやすいため、サイドフラップ形状に歪みが生じにくい。その結果、テープの扱いやすさに悪影響を与えない。
【００９３】
更に、図１５に示すように、サイドフラップ８は、同じ弾性率を有するフィルム状の伸縮弾性体５７ａ，５７ｂ，５７ｃを含んでなり、フィルム状に形成された伸張弾性体５７ａ，５７ｂ，５７ｃが、後身頃端部側の側縁部分８ａに、一層以上に積層された状態で配置されており、股下部側の側縁部分８ｂに、二層以上に積層された状態で配置されており、且つ、幅方向の中央部分８ｃに、三層以上に積層された状態で配置されたものであってもよい。即ち、後身頃端部側の側縁部分８ａと、股下部側の側縁部分８ｂと、幅方向の中央部分８ｃとで、伸張弾性体５７ａ，５７ｂ，５７ｃを積層する枚数を変化させて、幅方向の中央部分８ｃにおける伸縮応力Ｐｃを最も大きくし、次に、股下部側の側縁部分８ｂの伸縮応力Ｐｂを大きくし、後身頃端部側の側縁部分８ａの伸縮応力Ｐａを最も小さくする。
【００９４】
図１５においては、後身頃端部側の側縁部分８ａの伸縮弾性体５７ａが一層で配置され、股下部側の側縁部分８ｂの伸縮弾性体５７ｂが二層積層された状態で配置され、幅方向の中央部分８ｃの伸縮弾性体５７ｃが三層積層された状態で配置された場合の例を示している。このように構成することによって、フィルム状の伸縮弾性体を重ねて配置すればよいため、製造設備が簡単になる。また、伸縮弾性体を伸張状態で基材の上に固定した場合は、伸縮弾性体が縮むことによって、サイドフラップが縮んでシワになることがあるが、このような構成とすることによって、サイドフラップにシワが生じ難くなり、サイドフラップの見栄えも良好であり、また、使いやすさにも優れたものとなる。
【００９５】
また、図１６に示すサイドフラップ８においては、１枚のフィルム状伸縮弾性体７１を配置してあるが、フィルム状伸縮弾性体の後身頃端部側の側縁部分８ａに配置される部分７１ａと、股下部側の側縁部分８ｂに配置される部分７１ｂと、幅方向の中央部分８ｃに配置される部分７１ｃとが、それぞれの伸張応力がＰｃ＞Ｐｂ＞Ｐａの関係にあるものである。このように構成することによって、フィルム状の伸縮弾性体を１枚配置すればよいため、製造設備が簡単になる。また、サイドフラップにシワが生じ難くなり、サイドフラップの見栄えも一様で良好であり、また、使いやすさにも優れたものとなる。
【００９６】
なお、前記のとおり、連続した熱可塑性エラストマーフィルムの一部分に熱エンボスを加える程度を変えることによって、１枚のフィルム状伸縮弾性体に、伸張応力が高い領域と、伸張応力が低い領域と、その中間の領域とを設けることができる。このようにして得られたフィルム（伸縮弾性体）を、伸張性が高い不織布でサンドイッチすることによって、サイドフラップを形成すればよい。
【００９７】
また、サイドフラップは、股下部側の側縁部分と幅方向の中央部分、及び後身頃端部側の側縁部分と幅方向の中央部分、のそれぞれの少なくとも一部を分離するようなスリットが形成されたものであってもよい。即ち、股下部側の側縁部分と、幅方向の中央部分と、後身頃端部側の側縁部分と、のそれぞれの少なくもと一部が分離するように構成されたものであってもよい。
【００９８】
また、本発明のテープ型使い捨ておむつにおいては、サイドフラップが、伸張応力Ｐｂが大となる股下部側の側縁部分と、伸張応力Ｐａが小となる後身頃端部側の側縁部分とが、分離されてなるものであり、股下部側の側縁部分と後身頃端部側の側縁部分との一部が、サイドフラップの幅方向の中央部分において重なることにより、幅方向の中央部分における伸張応力Ｐｃが、伸張応力Ｐａ及び伸張応力Ｐｂよりも大となるように構成されたものであってもよい。
【００９９】
例えば、図１７Ａ及び図１７Ｂでは、後身頃端部側の側縁部分８ａの伸縮弾性体７２ａが一層（一枚）配置されたサイドフラップと、股下部側の側縁部分８ｂの伸縮弾性体７２ｂが一層（一枚）配置されたサイドフラップとが、サイドフラップの幅方向の中央部分８ｃで重なるようにされて止着テープ１０が固定されている場合の例を示している。
【０１００】
このようにした場合、サイドフラップの幅方向の中央部分に、後身頃端部側の側縁部分８ａと股下部側の側縁部分８ｂの重なった中央部分８ｃができ、中央部分８ｃの見かけの伸張応力Ｐｃが最も大きくなる。図１７Ｂに示すように、この中央部分８ｃを構成する後身頃端部側の側縁部分８ａと股下部側の側縁部分８ｂとは、単に重なっているのみであり、特に接合されているものではない。
【０１０１】
このように後身頃端部側の側縁部分８ａと股下部側の側縁部分８ｂとが、中央部で重なっている場合は、後身頃端部側の側縁部分８ａと股下部側の側縁部分８ｂとが独立して機能してフィット性が向上し、お互い影響を受けにくい。このため、サイドフラップ８のずれを低減することができる。更に、中央部で重なった中央部分８ｃがあるために、中央部分８ｃがサイドフラップ８の芯となり、サイドフラップ８を良好に伸ばして着用させることができる。
【０１０２】
また、着用の際にサイドフラップ８の中央部分８ｃはテープ取り付け位置に相当するので、着用時の腹周りの一番締められる帯の一部を形成する。このように、中央部分に芯があると、腰周りにおむつをぴったりと固定することができ、後身頃端部側の側縁部分８ａが腹回りの変化に合わせて伸張し、股下部側の側縁部分８ｂは脚周りに合わせて伸張するために、非常に良好なフィット性が得られる。
【０１０３】
ここで、図１２〜図１７Ａは、それぞれ本発明のテープ型使い捨ておむつのサイドフラップの更に他の例を示す平面図である。また、図１７Ｂは、図１７ＡのＡ−Ａ’断面を示す模式図である。
【０１０４】
なお、幅方向の中央部分における、５０％伸張時の伸張応力Ｐｃは、４〜１１．５Ｎ／２５ｍｍであることが好ましく、６〜９Ｎ／２５ｍｍであることが好ましい。このように構成することによって、幅方向の中央部分がサイドフラップの芯となり、サイドフラップ全体を良好に伸ばすことができる。
【０１０５】
［１−２］吸収性本体：
本発明のテープ型使い捨ておむつは、着用者の排泄した尿を吸収し保持する機能を担う部材として、吸収性本体を備えている。この吸収性本体は、複数のシートが吸収体を挟持した状態で積層されたものであり、例えば、図１に示すように、前身頃２、股下部４及び後身頃６の各部から構成され、吸収体２２と、吸収体２２の内面を被覆するように配置された内面シート１８と、吸収体２２の外面を被覆するように配置された外面シート２０とを構成要素として有し、吸収体２２が内面シート１８と外面シート２０との間に挟持された状態で固定され、パッド状に一体化された部材を挙げることができる。
【０１０６】
なお、上記した「吸収体の内面」とは、テープ型使い捨ておむつを着用した際に、着用者の肌側に位置する面をいい、一方、上記した「吸収体の外面」とは、テープ型使い捨ておむつを着用した際に、着用者の着衣側に位置する面をいう。
【０１０７】
なお、本発明のテープ型使い捨ておむつは、サイドフラップの股下部側の側縁部分における、止着テープの引張方向における伸張応力Ｐｂが、サイドフラップの後身頃端部側の側縁部分における、止着テープの引張方向における伸張応力Ｐａよりも大となるように構成されている限り、吸収性本体の構成については特に制限はなく、例えば、従来公知のテープ型使い捨ておむつに用いられる吸収性本体と同様に構成された吸収性本体を用いることもできる。以下、吸収性本体の各構成要素について具体的に説明する。
【０１０８】
［１−２ａ］内面シート：
内面シートは、着用者の肌側に位置する面に配置されるシートである。このため、内面シートは、その少なくとも一部が液透過性シートによって構成されていることが好ましい。このように構成することによって、尿が液透過性シートを透過して速やかに吸収体に到達し、吸収保持することが可能となる。なお、少なくとも一部が液透過性シートにより構成されている限り、必ずしも内面シート全体が液透過性シートによって構成されている必要はない。液透過性シートは、液透過性を有するシートであれば、シートの材質については特に制限はないが、例えば、織布、不織布、多孔性フィルム等を挙げることができる。
【０１０９】
なお、内面シートの更に好適な例としては、液透過性の不織布を挙げることができる。このような液透過性の不織布を用いることによって、肌触りが良好で、吸液後の表面のさらっと感を向上させることができる。
【０１１０】
［１−２ｂ］外面シート：
外面シートは、着用者の着衣側に位置する面に配置されるシートである。外面シートは吸収体に吸収された尿を、吸収性本体の外部に漏らさないように、尿を透過しない液不透過性シートが好ましいが、尿を透過しにくいが、加圧を掛けることによって透過可能な液低透過性シートを用いることもできる。
【０１１１】
上記した液不透過性シートとしては、一般的な吸収性製品に使用されている、ポリエチレンフィルムを好適例として挙げることができる。このようなポリエチレンフィルムには、透湿性ポリエチレンフィルムと非透湿性ポリエチレンフィルムとがあり、いずれのフィルムも外面シートとして用いることができるが、透湿性ポリエチレンフィルムをより好適に用いることができる。このような透湿性ポリエチレンフィルムを外面シートとして使用することにより、着用中にムレが少なくなり、おむつを着用した際の快適性を向上させることができる。
【０１１２】
また、上記した液低透過性シートとしては、耐水圧の高い不織布を好適例として挙げることができる。耐水圧の高い不織布としては、例えば、ＳＭＳ（スパンボンド／メルトブロー／スパンボンド）、ＳＭＭＳ（スパンボンド／メルトブロー／メルトブロー／スパンボンド）等の不織布が好ましい。
【０１１３】
［１−２ｃ］吸収体：
吸収体は、一般的な吸収性製品に使用されている吸収体を用いることができる。例えば、吸収体を構成する吸収材としては、木材パルプを綿状に粉砕したフラッフパルプと高吸水性樹脂（以下、「ＳＡＰ」ということがある）を好適例として挙げることができる。
【０１１４】
なお、必要に応じて、上記吸収材をラップするために、吸水紙や親水化処理した不織布を更に有していてもよい。即ち、上記吸水紙や親水化処理した不織布によってフラッフパルプとＳＡＰとを含む吸収材を包んでなる吸収体であってもよい。このような構成は、吸収体からＳＡＰが漏洩することを防止し、吸収体に形状安定性を付与することができるという利点がある。
【０１１５】
吸収体の形状については特に制限はないが、従来の使い捨ておむつ、その他の吸収性物品において使用される形状、例えば、矩形状、砂時計型、ひょうたん型、Ｔ字型等を挙げることができる。図１に示すテープ型使い捨ておむつ１は、吸収体２２として、矩形状の吸収体を用いた例である。
【０１１６】
［１−３］止着テープ：
本発明のテープ型使い捨ておむつは、後身頃と前身頃とを固定するためのテープ状のファスナーである止着テープを備えている。テープ型使い捨ておむつを着用する際には、この止着テープを、前身頃（例えば、前身頃に形成された被止着領域）に止め付けることによって、おむつ全体をパンツ型とすることができ、着用者に対しておむつを装着させることが可能となる。この止着テープは、吸収性本体の後身頃の両側縁から延出されたサイドフラップの先端側に少なくとも１つずつ配置されている。
【０１１７】
図１に示すテープ型使い捨ておむつ１は、後身頃６の左右の側縁６ａ，６ｂから延出されたサイドフラップ８の先端側に、それぞれ１つずつ止着テープ１０を備えており、この止着テープ１０は、布製の基材４８の先端近傍に、メカニカルファスナーのフック材４４ａからなるファスナー部４４が形成されている。なお、吸収性本体の前身頃には、メカニカルファスナーのループからなる被止着領域が形成されており、止着テープ１０のフック材４４ａを固定することが可能なように構成されていることが好ましい。このように構成することによって、テープ型使い捨ておむつ１の後身頃６を前身頃２に固定することができ、テープ型使い捨ておむつ１を着用者に装着させることが可能となる。
【０１１８】
なお、本発明のテープ型使い捨ておむつ１においては、サイドフラップ８の後身頃端部側の側縁部分８ａと、股下部側の側縁部分８ｂとで、その伸張応力が異なるように構成されているため、サイドフラップ８に配置される止着テープ１０は、サイドフラップ８の後身頃端部側の側縁部分８ａと股下部側の側縁部分８ｂとのそれぞれの領域に跨るように配置されていることが好ましい。
【０１１９】
［１−４］立体ギャザー：
また、本発明のテープ型使い捨ておむつは、着用者の排泄した尿の横漏れを防止するため、立体ギャザーを備えていてもよい。立体ギャザーは、着用者の排泄した尿の横漏れを防止するための部材であり、立体的に起立可能なように構成された防漏壁である。このような立体ギャザーを形成することにより、立体ギャザーが防波堤となり、おむつの脚周り開口部等からの漏れ（いわゆる「横漏れ」）を有効に防止することができる。
【０１２０】
立体ギャザーの構成は、従来のテープ型使い捨ておむつに使用されている構成を採用することができる。例えば、撥水性のシート材の一部に伸縮材を配置（例えば、図１に示すように、立体ギャザー伸縮材３６（３６ａ，３６ｂ）を配置）し、その立体ギャザー伸縮材によってシート材にギャザー（襞）を形成したもの等を好適に用いることができる。
【０１２１】
なお、立体ギャザーは、吸収性本体を構成するシート（例えば、内面シート）とは全く別個のシート材により形成してもよいが、吸収性本体を構成する複数のシートのうちの少なくとも一枚のシートを折り返すことにより形成してもよい。
【０１２２】
この立体ギャザーは、股下部からの漏れを防止するため、少なくとも股下部に形成されていればよいが、前身頃や後身頃に形成されていてもよい。例えば、図１に示すテープ型使い捨ておむつ１は、おむつの長手方向に沿って、股下部４から前身頃２と後身頃６の双方にかけて連続的に、一対の立体ギャザー２６（２６ａ，２６ｂ）が形成されている例を示している。なお、立体ギャザーは、少なくとも一対形成する必要があるが、二対以上形成してもよい。
【０１２３】
立体ギャザーは、おむつの内側に向かって傾倒する内倒しギャザーであってもよいし、おむつの外側に向かって傾倒する外倒しギャザーであってもよい。また、高さ方向の一部に、曲げ部や折り返し部を形成した立体ギャザー（Ｃ折りギャザーやＺ折りギャザー等）とすることもできる。
【０１２４】
［１−５］各種伸縮材：
本発明のテープ型使い捨ておむつは、脚周り伸縮材及びウエスト周り伸縮材が更に配置されたものであってもよい。
【０１２５】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。また、脚周り伸縮材を配置すると、おむつを交換する際に吸収体の両側で脚周り伸縮材が収縮するため、股下部近傍が椀状に変形し、凹部が形成される。このため、尿等がその凹部に溜まり、尿をこぼすことなく、容易におむつの交換を行うことができる。
【０１２６】
例えば、図１に示すテープ型使い捨ておむつ１は、吸収性本体１４の長手方向に沿って、直線的に三本の脚周り伸縮材４０を配置してレグギャザーを形成した例である。この脚周り伸縮材４０は、糸ゴムによって構成されている。なお、脚周り伸縮材は、必ずしも直線的に配置する必要はなく、例えば、おむつの脚周り開口部のカーブに沿って曲線的に配置してもよい。
【０１２７】
脚周り伸縮材は、例えば、図１に示すテープ型使い捨ておむつ１のように、立体ギャザー２６の起立線より外側の部分に配置されていることが好ましい。このように構成することによって、立体ギャザーの十分な防漏効果を確保しつつ、股下部の装着感を向上させることができる。
【０１２８】
なお、図１に示すテープ型使い捨ておむつ１は、脚周り伸縮材４０の形状、配置位置、配置数等を左右対称とした例を示したが、左右の脚周り伸縮材４０が非対称となるように配置してもよい。そして、図１に示すテープ型使い捨ておむつ１では、脚周り伸縮材４０を片側につき三本配置した例を示しているが、脚周り伸縮材４０の本数については特に制限はない。また、複数の脚周り伸縮材を用いる場合には、その太さや伸張率等も目的に応じて適宜設定することができる。
【０１２９】
次に、ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる。また、着用者へのおむつのフィット性が良好となり、おむつのずり下がりを防止することができる。
【０１３０】
図１に示すテープ型使い捨ておむつ１は、その後身頃６の端縁及び前身頃２の端縁に沿って帯状のウエスト周り伸縮材４２を配置した例である。この帯状のウエスト周り伸縮材４２は、ウレタンフォーム等の伸縮性フォームによって構成することができる。なお、図１においては、ウエスト周り伸縮材４２を、後身頃６（背側）と前身頃２（腹側）の両方に配置した場合の例を示しているが、後身頃の端縁のみに配置してもよい。
【０１３１】
なお、これらの伸縮材については、ギャザーの収縮の程度等を勘案した上で、構成材料、その材料の伸張率、固定時の伸張状態等を決定することができる。
【０１３２】
上記伸縮材としては、従来の使い捨ておむつなどの吸収性物品に使用されている伸縮材を用いることができる。具体的には、天然ゴムや合成ゴム（ウレタンゴム等）の弾性材からなる糸ゴム、平ゴム、伸縮性ネット、伸縮性フィルム、伸縮性フォーム（ウレタンフォーム等）等を挙げることができる。
【０１３３】
また、上記伸縮材は、十分な伸縮力を作用させるため、伸張状態で固定することが好ましい。例えば、伸縮材が天然ゴムや合成ゴムである場合には、１２０〜４００％の伸張状態で固定することが好ましく、２００〜３００％の伸張状態で固定することがより好ましい。このような範囲の伸張状態で固定することにより、十分な伸縮力を作用させることが可能となる。
【０１３４】
上記伸縮材は、接着剤、及びその他の手段により固定することができる。固定方法としては、例えば、ホットメルト接着剤、その他の流動性の高い接着剤を用いた接着方法や、ヒートシールをはじめとする熱や超音波等による溶着による方法などを挙げることができる。
【０１３５】
［２］テープ型使い捨ておむつの製造方法：
以下、本発明のテープ型使い捨ておむつの製造方法を、図１に示すテープ型使い捨ておむつ１を製造する場合の例で説明する。まず、複数の長尺のシート（例えば、外面シート２０及び内面シート１８を形成するための長尺のシート）によって吸収体２２が所定の間隔を空けて挟持された吸収性本体の連続体を形成する。
【０１３６】
次に、サイドフラップを形成するために、サイドフラップの後身頃端部側と股下部側にそれぞれ配置される伸縮弾性体を構成するためのフィルム状の熱可塑性エラストマーを用意する。なお、後身頃先端側の部分に配置される伸縮弾性体を構成するための熱可塑性エラストマーは、股下部側の部分に配置される熱可塑性エラストマーよりも伸張応力が低い熱可塑性エラストマーを用いる。
【０１３７】
熱可塑性エラストマーからなるフィルムは、表裏に貼り合わされる不織布とホットメルト接着剤で接着することもできるし、また、熱エンボスで貼り合わせることもできる。このようにして得られたサイドフラップの一端に、フック材を貼り付けたファスナー部を、例えば、ホットメルトで貼り付け後、フック材を内側に折返し、得られたサイドフラップを吸収性本体の連続体の所定の位置に、吸収面と反対側の外側にヒートシールによって貼り付ける。その後、吸収性本体の所定の位置にサイドフラップをホットメルト接着剤で貼り付ける。このようなサイドフラップが貼り付けられた吸収性本体の連続体を、所定の長さに切断することにより、本発明のテープ型使い捨ておむつを製造することができる。
【産業上の利用可能性】
【０１３８】
本発明のテープ型使い捨ておむつは、乳幼児用、或いは介護を必要とする高齢者や障害者等の成人用のおむつとして好適に利用することができる。
【符号の説明】
【０１３９】
１，１００：テープ型使い捨ておむつ、２：前身頃、２ａ，２ｂ：側縁（前身頃の側縁）、４：股下部、６：後身頃、６ａ，６ｂ：側縁（後身頃の側縁）、８，１０８：サイドフラップ、８ａ：後身頃端部側の側縁部分（サイドフラップの後身頃端部側の側縁部分）、８ｂ：股下部側の側縁部分（サイドフラップの股下部側の側縁部分）、８ｃ：中央部分（サイドフラップの幅方向の中央部分）、９，９ａ，９ｂ：試験片、１０，１１０：止着テープ、１４：吸収性本体、１５：スリット、１８：シート（内面シート）、２０：シート（外面シート）、２２：吸収体、２６，２６ａ，２６ｂ：立体ギャザー、３６，３６ａ，３６ｂ：立体ギャザー伸縮材、３８：サイドタブ、４０：脚周り伸縮材、４２ウエスト周り伸縮材、４４：ファスナー部、４４ａ：フック材、４８：基材、５０ａ，５０ｂ，５１ａ，５１ｂ，５２ａ，５５ａ，５５ｂ，５５ｃ，５６ａ，５６ｂ，５６ｃ：伸縮弾性体、５３ａ，５３ｂ，５４ａ，５４ｂ，５７ａ，５７ｂ，５７ｃ：伸縮弾性体（フィルム状に形成された伸張弾性体）、５５ａ，５５ｂ，５５ｃ，５６ａ，５６ｂ，５６ｃ，７１ａ，７１ｂ，７１ｃ，７２ａ，７２ｂ：伸縮弾性体、５８：シート（サイドフラップを構成するシート）６０：引張試験機、６２：チャック、６２ａ：チャックの固定面、７１ａ：後身頃端部側の側縁部分に配置される部分、７１ｂ：股下部側の側縁部分に配置される部分、７１ｃ：幅方向の中央部分に配置される部分、８１：テープを固定するテープ側端部、８２：おむつ本体と固定されるおむつ側端部、Ｘ：止着テープの引張方向、Ｙ：引張試験機の引張方向。
【図１】
0005549252.tif 000002
【図２】
0005549252.tif 000003
【図３】
0005549252.tif 000004
【図４Ａ】
0005549252.tif 000005
【図４Ｂ】
0005549252.tif 000006
【図４Ｃ】
0005549252.tif 000007
【図５】
0005549252.tif 000008
【図６】
0005549252.tif 000009
【図７】
0005549252.tif 000010
【図８】
0005549252.tif 000011
【図９】
0005549252.tif 000012
【図１０】
0005549252.tif 000013
【図１１】
0005549252.tif 000014
【図１２】
0005549252.tif 000015
【図１３】
0005549252.tif 000016
【図１４】
0005549252.tif 000017
【図１５】
0005549252.tif 000018
【図１６】
0005549252.tif 000019
【図１７Ａ】
0005549252.tif 000020
【図１７Ｂ】
0005549252.tif 000021
【図１８】
0005549252.tif 000022